(57)【要約】【課題】本発明は、通信が不可能な状態であっても所定の機能を使用が制限されたロック状態にすることが可能である携帯通信端末を提供することを目的とする。【解決手段】携帯電話機１は、複数の機能と、所定の通信網Ｎを介して外部装置と通信する無線通信部２００と、所定の通信網Ｎを介して外部装置と通信が可能な状態であるか否かを判定する通信判定部１０５と、通信判定部１０５により通信が不可能な状態であると判定された場合、複数の機能のうち所定の機能を使用が制限された機能ロック状態にする機能ロック部１１１と、を備える。【選択図】図４
2010056775.tif 000002
【特許請求の範囲】
【請求項１】
複数の機能を有する携帯通信端末であって、
所定の通信網を介して外部装置と通信する無線通信部と、
前記無線通信部による通信が可能か否かを判定する判定部と、
前記判定部により前記無線通信部による通信が不可能であると判定された場合、前記複数の機能のうち所定の機能の動作を制限する機能ロック部と、を備える
携帯通信端末。
【請求項２】
前記判定部により前記無線通信部による通信が不可能であると判定された状態において、前記所定の機能が前記判定部により通信が可能であると判定された状態から継続して動作している場合、
前記機能ロック部は、前記所定の機能の動作を制限せずに継続させる
請求項１に記載の携帯通信端末。
【請求項３】
前記所定の機能の動作が前記判定部により前記無線通信部による通信が不可能であると判定された状態において終了された場合、
前記機能ロック部は、当該所定の機能の動作を制限する
請求項２に記載の携帯通信端末。
【請求項４】
前記判定部により前記無線通信部による通信が不可能な状態であると所定時間継続して判定された場合、
前記機能ロック部は、前記所定の機能の動作をする
請求項１から３のいずれかに記載の携帯通信端末。
【請求項５】
前記無線通信部により前記所定の機能の動作を制限する指示を受信した場合、
前記機能ロック部は、前記所定の機能の動作を制限する
請求項１から４のいずれかに記載の携帯通信端末。
【発明の詳細な説明】
【技術分野】
【０００１】
本発明は、携帯電話機等の携帯通信端末に関する。
【背景技術】
【０００２】
近年、携帯電話機は、第三者に不正使用されないための対策として、携帯電話機の一部もしくは全ての動作を禁止する、ロック機能を備える。ユーザは、携帯電話のロック機能を有効に設定することで、携帯電話機の各種データや機能を第三者に不正に使用されることを防止する。
【０００３】
しかしながら、有効に設定されたロック機能を解除するためには、通常、予め設定された暗証番号の入力が必要となる。すなわち、ユーザが携帯電話機の各種データや機能を使用する際には、その都度、暗証番号によるロック機能の解除操作が必要となり、その煩わしさにより、ロック機能が有効に設定されない場合も多い。したがって、ロック機能が有効に設定されていない状態で、紛失や盗難にあった場合の対策として、通信機能を介して遠隔よりロック機能を有効にすることが可能な携帯電話機が提案されている（例えば、特許文献１参照）。
【特許文献１】特開２０００−７８６６３号公報
【発明の開示】
【発明が解決しようとする課題】
【０００４】
しかし、特許文献１の携帯電話においても、通信圏外等の理由により、携帯電話機の通信機能が使用不可能な状態にある場合には、遠隔より携帯電話機のロック機能を有効にすることができないという問題があった。
【０００５】
本発明は、通信が不可能な状態であっても所定の機能を使用が制限されたロック状態にすることが可能である携帯通信端末を提供することを目的とする。
【課題を解決するための手段】
【０００６】
本発明は、複数の機能を有する携帯通信端末であって、所定の通信網を介して外部装置と通信する無線通信部と、前記無線通信部による通信が可能か否かを判定する判定部と、前記判定部により前記無線通信部による通信が不可能であると判定された場合、前記複数の機能のうち所定の機能の動作を制限する機能ロック部と、を備える携帯通信端末に関する。
【０００７】
また、前記判定部により前記無線通信部による通信が不可能であると判定された状態において、前記所定の機能が前記判定部により通信が可能であると判定された状態から継続して動作している場合、前記機能ロック部は、前記所定の機能の動作を制限せずに継続させることが好ましい。
【０００８】
また、前記所定の機能の動作が前記判定部により前記無線通信部による通信が不可能であると判定された状態において終了された場合、前記機能ロック部は、当該所定の機能の動作を制限することが好ましい。
【０００９】
また、前記判定部により前記無線通信部による通信が不可能な状態であると所定時間継続して判定された場合、前記機能ロック部は、前記所定の機能の動作をすることが好ましい。
【００１０】
また、前記無線通信部により前記所定の機能の動作を制限する指示を受信した場合、前記機能ロック部は、前記所定の機能の動作を制限することが好ましい。
【発明の効果】
【００１１】
本発明によれば、通信が不可能な状態であってもロック機能を有効にすることが可能である携帯通信端末を提供することができる。
【発明を実施するための最良の形態】
【００１２】
以下、図面を参照して本発明を実施するための最良の形態を説明する。
まず、図１により、携帯通信端末としての携帯電話機１を含む通信システムＳの概要について説明する。
図１は、携帯電話機１を含む通信システムＳの概要を説明する図である。
【００１３】
図１に示すように、通信システムＳは、通信網Ｎと、通信網Ｎを構成する基地局Ｋと、携帯電話機１と、を含んで構成される。
通信網Ｎは、図１における基地局Ｋを含む複数の基地局を有して構成される。
基地局Ｋは、携帯電話機１との通信が可能な通信エリアＡを形成する。
携帯電話機１は、通信網Ｎを介して不図示の外部装置としての携帯電話機や固定電話機と通信可能に構成される。携帯電話機１は、通信エリアＡにおいて通信網Ｎを介して不図示の携帯電話機や固定電話気との通信が可能な状態となる。逆に、携帯電話機１は、非通信エリアＧにおいて通信網Ｎを介した携帯電話機等との通信が不可能な状態となる。携帯電話機１を携帯したユーザが移動することで、携帯電話機１は、通信可能な状態から通信不可能な状態に遷移し、通信不可能な状態から通信可能な状態に遷移する。
【００１４】
次いで、図２により、携帯通信端末としての携帯電話機１における基本構造を説明する。図２は、携帯電話機１を開いた状態における外観斜視図を示す。
【００１５】
図２に示すように、携帯電話機１は、操作部側筐体２と、表示部側筐体３と、を備える。操作部側筐体２と表示部側筐体３とは、ヒンジ機構を備える連結部４を介して開閉可能に連結される。具体的には、操作部側筐体２の上端部と表示部側筐体３の下端部とは、連結部４を介して連結される。これにより、携帯電話機１は、ヒンジ機構を介して連結された操作部側筐体２と表示部側筐体３とを相対的に動かすことが可能に構成される。つまり、携帯電話機１は、操作部側筐体２と表示部側筐体３とが開いた状態（開状態）と、操作部側筐体２と表示部側筐体３とが折り畳まれた状態（閉状態）とにすることができる。ここで、閉状態とは、両筐体が互いに重なるように配置された状態であり、開状態とは、両筐体が互いに重ならないように配置された状態をいう。
【００１６】
操作部側筐体２は、外面がフロントケース２ａとリアケース２ｂとにより構成される。操作部側筐体２は、フロントケース２ａ側において、入力手段としての操作キー群１１と、携帯電話機１の使用者が通話時に発した音声が入力されるマイク１２とがそれぞれ露出するように構成される。
【００１７】
操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う操作部材としての決定操作キー１５とにより構成される。操作キー群１１を構成する各キーそれぞれには、操作部側筐体２と表示部側筐体３との開閉状態や各種モードや起動されているアプリケーション等の種類に応じて所定の機能が割り当てられる（キー・アサイン）。そして、使用者が各キーを押圧することにより、各キーに割り当てられている機能に応じた動作が実行される。
【００１８】
マイク１２は、操作部側筐体２の長手方向における連結部４側と反対の外端部側に配置される。つまり、マイク１２は、携帯電話機１が開状態において一方の外端部側に配置される。
【００１９】
操作部側筐体２における一方側の側面には、外部機器（例えば、ホスト装置）と通信を行うためのインターフェース（図示せず）が配置される。操作部側筐体２の他方側の側面には、所定の機能が割り当てられているサイドキーと、外部メモリの挿入及び取り出しが行われるインターフェース（図示せず）とが配置される。インターフェースは、キャップにより覆われている。各インターフェースは、不使用時にはキャップにより覆われる。
【００２０】
表示部側筐体３は、外面がフロントケース３ａと、リアケース３ｄとにより構成される。表示部側筐体３におけるフロントケース３ｂには、各種情報を表示するための表示部２１と、通話の相手側の音声を出力するレシーバとしてのスピーカ２２と、が露出するように配置される。ここで、表示部２１は、液晶パネルと、この液晶パネルを駆動する駆動回路と、この液晶パネルの背面側から光を照射するバックライト等の光源部とから構成される。
【００２１】
続けて、図３により、携帯電話機１の回路構成について説明する。
図３は、携帯電話機１における回路構成を説明するブロック図である。
図３に示すように、携帯電話機１は、操作部側筐体２に配置される無線通信部２００と、操作キー群１１を含む操作部１０１と、マイク１２と、ＬＣＤ制御部４２と、音声処理部４３と、メモリ４４と、ＣＰＵ４５と、電源部４６と、制御ＩＣ４７と、表示部側筐体３に配置される表示部２１と、スピーカ２２と、ドライバＩＣ２５とを備える。
【００２２】
無線通信部２００は、所定の使用周波数帯により外部装置と通信を行うアンテナ部９０と、変調処理又は復調処理等の信号処理を行う通信処理部２０１と、を備える。
【００２３】
アンテナ部９０は、所定の使用周波数帯（例えば、８００ＭＨｚ）で基地局Ｋと通信を行う。言い換えると、アンテナ部９０は、所定の使用周波数帯で基地局Ｋを含む通信網Ｎを介して他の携帯電話機や固定電話機と通信を行う。なお、本実施形態では、所定の使用周波数帯として、８００ＭＨｚとしたが、他の周波数帯であってもよい。また、アンテナ部９０は、所定の使用周波数帯（第１の使用周波数帯）のほかに、第２の使用周波数帯（例えば、２ＧＨｚ）に対応できる、いわゆるデュアルバンド対応型による構成であってもよいし、更に、第３の使用周波数帯にも対応できる複数バンド対応型により構成されていてもよい。
【００２４】
通信処理部２０１は、アンテナ部９０により受信された信号を復調処理し所定の機能部に供給すると共に、所定の機能部から供給された信号を変調処理しアンテナ部９０を介して基地局Ｋに送信する。
【００２５】
ＬＣＤ制御部４２は、ＣＰＵ４５の制御にしたがって、入力された画像データに対して所定の画像処理を行うと共に、画像処理された画像データをドライバＩＣ２５に出力する。ドライバＩＣ２５は、ＬＣＤ制御部４２から入力された画像データをフレームメモリに蓄えると共に、該フレームメモリに蓄えられた画像データを所定のタイミングで表示部２１に出力する。
表示部２１は、ドライバＩＣ２５から入力されたデータに基づいて、所定の文字や画像を表示する。
【００２６】
メモリ４４は、所定のデータを記憶する。具体的には、メモリ４４は、各種機能を動作させるアプリケーションプログラムや、所定の状態において機能ロック状態にするべき機能を記憶する。メモリ４４については、後に詳述する。
【００２７】
ＣＰＵ４５は、携帯電話機１の全体を制御する。ＣＰＵ４５は、特に、無線通信部２００と、ＬＣＤ制御部４２と、音声処理部４３に対して所定の制御を行う。また、ＣＰＵ４５は、後述する機能部としての通信判定部１０５と、機能ロック部１１１と、機能制御部１１２とを有する。
【００２８】
音声処理部４３は、ＣＰＵ４５の制御にしたがって、通信処理部２０１から供給された信号に対して所定の音声処理を行うと共に、音声処理された信号をスピーカ２２に出力する。スピーカ２２は、音声処理部４３から供給された信号に基づいて外部に放音（出力）する。また、音声処理部４３は、ＣＰＵ４５の制御にしたがって、マイク１２から入力された信号に対して所定の処理をすると共に、処理された信号を通信処理部２０１に出力する。通信処理部２０１は、音声処理部４３から入力された信号に所定の処理を行うと共に、処理がされた信号をアンテナ部９０に出力する。
【００２９】
電源部４６は、バッテリ８０を有して構成される。バッテリ８０は、所定容量を有するリチウムイオン電池である。制御ＩＣ４７は、電源部４６から供給される電源電圧を所定の電源電圧に変換し、変換後の電源電圧を携帯電話機１における各部（例えば、ＣＰＵ４５等）に供給する。
【００３０】
続けて、図４及び図５により、携帯電話機１における機能部の構成について説明する。
図４は、携帯電話機１における機能部の構成を説明するブロック図である。図５は、メモリ４４に記憶される各機能における通常状態／機能ロック状態の設定テーブルである。
図４に示すように、携帯電話機１は、無線通信部２００と、計時部１０３と、ＣＰＵ４５に含まれる機能部としての通信判定部１０５と、機能動作確認部１０７と、時間判定部１０９と、機能ロック部１１１と、機能制御部１１２と、メモリ４４と、を備える。ここで、携帯電話機１は、複数の機能を有する。具体的には、携帯電話機１は、通話機能や、電子メール機能や、アドレス帳機能や、カメラ機能や、電子決済機能等を有する。これらの機能は、個人情報や金銭にかかわる機能であり、所定の状態においては、機能の使用が制限された機能ロック状態となることが好ましい。
【００３１】
メモリ４４には、上述の通り、各種機能を動作させるアプリケーションプログラムや、所定の状態において機能ロック状態にするべき機能を記憶する。具体的には、図５に示すように、メモリ４４は、セキュリティモードにおける各機能の通常状態／機能ロック状態の設定テーブル４００を有する。なお、セキュリティモードとは、携帯電話機１（無線通信部２００）が通信網Ｎを介して外部装置と通信不可能な状態となった際に、後述する処理によって、所定の機能を機能ロック状態とするモードである。設定テーブル４００は、機能の内容を示す機能名欄４１０と、セキュリティモード欄４３０とを含んで構成される。セキュリティモード欄４３０において「機能ロック」の設定がされている機能は、セキュリティモードが設定された状態で携帯電話機１が非通信エリアＧに移動する等により通信不可能な状態となった際に、通常状態から後述する機能ロック部１１１により使用が制限された機能ロック状態にされる。
【００３２】
無線通信部２００は、上述の通り、アンテナ部９０と通信処理部２０１とを有すると共に、通信エリアＡ（図１参照）において基地局Ｋを含む通信網Ｎを介して他の携帯電話機等と通信を行う。無線通信部２００は、通信エリアＡにおいて通信網Ｎを介して他の携帯電話機等と通信を行うことができる。言い換えると、無線通信部２００は、通信エリアＡにおいて、他の携帯電話機等からの通信を受信することができる。また、無線通信部２００は、非通信エリアＧにおいて通信網Ｎを介して他の携帯電話機等と通信を行うことができない。言い換えると、無線通信部２００は、非通信エリアＧにおいて、他の携帯電話機等からの通信を受信することができない。
【００３３】
計時部１０３は、通信判定部１０５により通信が不可能な状態であると判定された時点からの時間を計測する。詳細には、計時部１０３は、通信判定部１０５により通信が不可能な状態であると判定された時点から通信が不可能な状態が継続している時間を計測する。更には、計時部１０３は、通信が不可能な状態で動作していた機能が終了した時点からの時間を計測する。
【００３４】
判定部としての通信判定部１０５は、携帯電話機１（無線通信部２００）が通信網Ｎを介して外部装置と通信可能な状態であるか否かを判定する。具体的には、通信判定部１０５は、携帯電話機１が通信エリアＡにあって通信網Ｎを介して他の携帯電話きや固定電話機と通信可能な状態であるか、携帯電話機１が非通信エリアＧにあって通信網Ｎを介して他の携帯電話機１と通信することが不可能な状態であるかを判定する。
【００３５】
機能動作確認部１０７は、所定の機能における動作状態を確認する。具体的には、機能動作確認部１０７は、機能ロック状態にする対象である機能が動作状態であるか、非動作状態であるかを確認する。
【００３６】
時間判定部１０９は、計時部１０３により測定された時間が予め設定された所定時間以上であるか否かを判定する。
【００３７】
機能ロック部１１１は、複数の機能における全部又は一部を使用が制限された機能ロック状態にすることができる。
機能ロック部１１１は、通信網Ｎを介した他の携帯電話機や固定電話機からの通信内容に基づいて、複数の機能のうち所定の機能を使用が制限された機能ロック状態にすることができる。機能ロック部１１１は、無線通信部２００により所定の機能における動作を制限する旨の指示を受信した場合、所定の機能を機能ロック状態にする。例えば、機能ロック部１１１は、外部からの着信が所定のパターンを満たす場合や、通信状態において所定のパスワードが入力された場合や、受信した電子メールに所定の内容が含まれている場合等には、所定の機能を機能ロック状態にするように構成される。
【００３８】
また、機能ロック部１１１は、通信判定部１０５により携帯電話機１（無線通信部２００）が通信不可能な状態であると判定された場合、予め設定された所定の機能を使用が制限された機能ロック状態にさせる。具体的には、機能ロック部１１１は、時間判定部１０９により通信判定部１０５が通信不可能な状態であると継続して判定した時間が所定時間以上であると判定された場合、所定の機能を機能ロック状態にする。機能ロック部１１１は、通信判定部１０５により携帯電話機１が通信不可能な状態であると所定時間継続して判定された場合、後述する機能制御部１１２に対してメモリ４４に含まれる設定テーブル４００に基づいて所定の機能の使用を制限するよう指示をする。
【００３９】
また、機能ロック部１１１は、機能ロック状態にする対象となっている所定の機能が、通信判定部１０５により携帯電話機１が通信可能な状態であると判定された状態から継続して動作している場合、通信判定部１０５により通信不可能な状態となったと判定された際にも所定の機能を機能ロック状態にせず動作を継続させる。その後、所定の機能の動作が通信不可能な状態において終了された場合、前記機能ロック部１１１は、所定の機能を機能ロック状態にする。具体的には、機能動作確認部１０７により所定の機能における動作が終了したことが確認された後、時間判定部１０９により通信判定部１０５が通信不可能な状態であると継続して判定した時間が所定時間以上であると判定された場合、機能ロック部１１１は、所定の機能を機能ロック状態にする。
【００４０】
ここで、機能ロック状態となる機能は任意に設定してもよく、初期設定において固定的に設定されていてもよい。また、機能ロック部１１１は、所定のセキュリティモードに限らず通常モードにおいて所定の機能を機能ロック状態にするよう構成されていてもよい。この場合、図５における設定テーブル４００において、所定の機能における通常モード欄４２０の設定が機能ロック状態となる。
【００４１】
機能制御部１１２は、各機能を制御する。機能制御部１１２は、機能ロック部１１１からの指示に基づいて、複数の機能のうち所定の機能の使用を制限する。機能制御部１１２は、メモリ４４に記憶される設定テーブル４００で機能ロック状態となるよう設定された機能の使用を制限する。
【００４２】
続けて、図６により、携帯電話機１の動作について説明する。
図６は、携帯電話機１の動作を説明するフロー図である。
図６に示すように、まず、ＣＰＵ４５は、携帯電話機１がセキュリティモードに設定されているか否かを判定する（ＳＴ１）。
ＣＰＵ４５により携帯電話機１がセキュリティモードに設定されていないと判定された場合（ＳＴ１、ＮＯ）、処理を終了する。
【００４３】
ＣＰＵ４５により携帯電話機１がセキュリティモードに設定されていると判定された場合（ＳＴ１、ＹＥＳ）、携帯電話機１における無線通信部２００は、所定間隔で通信状態を確認する。そして、通信判定部１０５は、通信可能な状態であるか否かを判定する（ＳＴ３）。
【００４４】
通信判定部１０５により通信が可能な状態であると判定された場合（ＳＴ３、ＹＥＳ）、携帯電話機１は、外部から所定の機能を機能ロック状態にする旨の指示があるかを確認する（ＳＴ７）。
通信判定部１０５により通信が不可能な状態であると判定された場合（ＳＴ３、ＮＯ）、機能動作確認部１０７は、所定の機能が動作しているか否かを確認する（ＳＴ４）。
【００４５】
機能動作確認部１０７により所定の機能が動作していると判定された場合（ＳＴ４、ＹＥＳ）、所定の機能の動作は継続されると共に、通信判定部１０５は、通信可能な状態であるか否かの判定に戻る（ＳＴ３）。
機能動作確認部１０７により所定の機能が動作していないと判定された場合（ＳＴ４、ＮＯ）、時間判定部１０９は、通信が不可能な状態になって所定時間経過したか否かを判定する（ＳＴ５）。
【００４６】
時間判定部１０９により通信が不可能な状態となって所定時間が経過しないと判定された場合（ＳＴ５、ＮＯ）、通信判定部１０５は、通信可能な状態であるか否かの判定に戻る（ＳＴ３）。
時間判定部１０９により通信が不可能な状態となって所定時間が経過したと判定された場合（ＳＴ５、ＹＥＳ）、機能ロック部１１１は、機能制御部１１２に対して所定の機能を機能ロック状態にするよう指示する（ＳＴ６）。
【００４７】
また、上述した通信判定部１０５により通信が可能な状態であると判定された場合（ＳＴ３、ＹＥＳ）であって、外部からの所定の機能について機能ロック状態にする指示がなかった場合（ＳＴ７、ＮＯ）、通信判定部１０５は、通信可能な状態であるか否かの判定に戻る（ＳＴ３）。
【００４８】
また、上述した通信判定部１０５により通信が可能な状態であると判定された場合（ＳＴ３、ＹＥＳ）であって、外部からの所定の機能について機能ロック状態にする指示があった場合（ＳＴ７、ＹＥＳ）、機能ロック部１１１は、機能制御部１１２に対して所定の機能を機能ロック状態にするよう指示する（ＳＴ６）。
【００４９】
本実施形態によれば、通信が不可能な状態であっても所定の機能を使用が制限されたロック状態にすることが可能である携帯電話機を提供することができる。
【００５０】
また、本実施形態によれば、通信可能な状態において外部からの指示により所定の機能を機能ロック状態にすることができるだけでなく、通信不可能な状態においても所定の機能を機能ロック状態にすることができるので、セキュリティ性が向上した携帯電話機を提供することができる。
【００５１】
また、本実施形態によれば、通信不可能な状態においても、通信可能な状態から動作していた機能は機能ロック状態にしないので、セキュリティ性が向上すると共に使用性に優れた携帯電話機を提供することができる。
なお、通信不可能な状態において、通信可能な状態から動作していた機能がある場合、当該機能の動作が終了する（若しくは、終了して所定時間が経過する）まで、その他の機能についても機能ロック状態にしないようにしても良い。
【００５２】
また、本実施形態によれば、通信不可能な状態になってから所定時間経過後に所定の機能を機能ロックする。これにより、例えば、電車や自動車等での移動において、トンネル通過等により一時的に通信不可能な状態になった場合に所定の機能が機能ロック状態になることを回避できる。これにより、必要のないときに所定の機能が機能ロック状態になることを抑制できる。また、これにより、不必要に機能ロック状態になった所定の機能に対していちいちロック解除操作を行う手間が生じることを回避できる。
【００５３】
以上、好適な実施形態について説明したが、本発明は上述した実施形態に限定されることなく種々の形態で実施することができる。例えば、本実施形態において、携帯通信端末として携帯電話機１について説明しているが、これに限定されず、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【００５４】
また、本実施形態において、連結部４により折り畳み可能な携帯電話機１の説明をしているが、このような折り畳み式ではなく、操作部側筐体２と表示部側筐体３との重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転（ターン）式や、操作部側筐体２と表示部側筐体３とが一つの筐体に配置され連結部を有さない型式（ストレートタイプ）でもよい。また、携帯電話機１は、開閉及び回転可能ないわゆる２軸ヒンジタイプであってもよい。
【００５５】
また、本実施形態において、携帯電話機１（無線通信部２００）は、非通信エリアＧにあることで通信判定部１０５により通信不可能な状態であると判定されるが、これに限定されず、例えば、ＳＩＭカード（Ｓｕｂｓｃｒｉｂｅｒ  Ｉｄｅｎｔｉｔｙ  Ｍｏｄｕｌｅ  Ｃａｒｄ）が抜き取られた状態においても通信判定部１０５が通信不可能な状態であると判定するように構成してもよい。
【図面の簡単な説明】
【００５６】
【図１】携帯電話機１を含む通信システムＳの概要を説明する図である。
【図２】携帯電話機１を開いた状態における外観斜視図を示す。
【図３】携帯電話機１における回路構成を説明するブロック図である。
【図４】携帯電話機１における機能部の構成を説明するブロック図である。
【図５】メモリ４４に記憶される各機能における通常状態／機能ロック状態の設定テーブルである。
【図６】携帯電話機１の動作を説明するフロー図である。
【符号の説明】
【００５７】
１          携帯電話機
２          操作部側筐体
３          表示部側筐体
１１        操作キー群
４４        メモリ
４５        ＣＰＵ
１０３      計時部
１０５      通信判定部
１０７      機能動作確認部
１０９      時間判定部
１１１      機能ロック部
２００      無線通信部
Ｎ          通信網
【図１】
2010056775.tif 000003
【図２】
2010056775.tif 000004
【図３】
2010056775.tif 000005
【図４】
2010056775.tif 000006
【図５】
2010056775.tif 000007
【図６】
2010056775.tif 000008